(57)【要約】      （修正有）【課題】筆記具に取り外し可能に取り付けられた飾りコマの予期せぬ紛失を防止可能とし、飾りコマが取り付けられた筆記具をポケット等に差すときの障害を除去する。【解決手段】クリップ９を有する筆記具１とこれに取り付けられる飾りコマ３とに係り、クリップが一端開放のスロット２９を有し、飾りコマがクリップのスロットにその開放一端から受け入れられスロットに沿っての飾りコマの移動を許すピン３３を有し、また筆記具のペン軸７が、スロットに受け入れられた飾りコマのピンがスロットの開放一端から抜け出すことを阻止するストッパ３９を有する。飾りコマのピンは、ペン軸に対してクリップを偏倚させることにより、ストッパを乗り越え可能の位置におかれる。【選択図】図１
0003141902.tif 000002
【実用新案登録請求の範囲】
【請求項１】
ペン軸と、該ペン軸に取り付けられたクリップであってその自由端部と前記ペン軸との間の間隔が増大するように偏倚可能であるクリップとを備える筆記具と、前記クリップに取り付けられる飾りコマとの組み合わせであって、
前記クリップが、該クリップの輪郭を規定する縁に開放する一端を有するスロットを備え、
前記飾りコマが、該飾りコマを前記クリップに保持するためのピンであって前記クリップのスロットを貫通するように該スロットの開放一端から受け入れられ前記スロットに沿っての前記飾りコマの移動を許すピンを有し、
また、前記ペン軸が、前記クリップのスロットの開放一端からの前記飾りコマのピンの抜け出しを阻止するためのストッパであって、前記クリップの偏倚の範囲内において前記飾りコマのピンが乗り越え可能であるストッパを有する、
ことを特徴とする、筆記具と飾りコマとの組み合わせ。
【請求項２】
ペン軸と、該ペン軸に取り付けられたクリップであってその自由端部と前記ペン軸との間の間隔が増大するように偏倚可能である、飾りコマが取り付けられるクリップとを備える筆記具であって、
前記クリップが、該クリップの輪郭を規定する縁に開放する一端を有するスロットを備え、
前記飾りコマが、該飾りコマを前記クリップに保持するためのピンであって前記クリップのスロットを貫通するように該スロットの開放一端から受け入れられ前記スロットに沿っての前記飾りコマの移動を許すピンを有し、
また、前記ペン軸が、前記クリップのスロットの開放一端からの前記飾りコマのピンの抜け出しを阻止するためのストッパであって、前記クリップの偏倚の範囲内において前記飾りコマのピンが乗り越え可能であるストッパを有する、
ことを特徴とする、筆記具。
【請求項３】
ペン軸と、該ペン軸に取り付けられたクリップであってその自由端部と前記ペン軸との間の間隔が増大するように偏倚可能であるクリップとを備える筆記具の前記クリップに取り付けられる飾りコマであって、
前記クリップが、該クリップの輪郭を規定する縁に開放する一端を有するスロットを備え、
前記飾りコマが、該飾りコマを前記クリップに保持するためのピンであって前記クリップのスロットを貫通するように該スロットの開放一端から受け入れられ前記スロットに沿っての前記飾りコマの移動を許すピンを有し、
また、前記ペン軸が、前記クリップのスロットの開放一端からの前記飾りコマのピンの抜け出しを阻止するためのストッパであって、前記クリップの偏倚の範囲内において前記飾りコマのピンが乗り越え可能であるストッパを有する、
ことを特徴とする、筆記具のための飾りコマ。
【請求項４】
前記飾りコマのピンは前記クリップのスロット内においてその軸線の周りに回転可能である、
ことを特徴とする、請求項１に記載の筆記具と飾りコマとの組み合わせ。
【請求項５】
前記飾りコマのピンは前記クリップのスロット内においてその軸線の周りに回転可能である、
ことを特徴とする、請求項２に記載の筆記具。
【請求項６】
前記飾りコマのピンは前記クリップのスロット内においてその軸線の周りに回転可能である、
ことを特徴とする、請求項３に記載の飾りコマ。
【考案の詳細な説明】
【技術分野】
【０００１】
本考案は、ボールペン、万年筆、シャープペンシル（商標）のような筆記具とその装飾のためにこれに適用される飾りコマとに関する。
【背景技術】
【０００２】
従来、筆記具自体の装飾、同種の筆記具間における個性化、差別化等を図るための手段として、筆記具の細長いクリップに取り付けられる飾りコマが提案されている（後記特許文献１参照）。
【０００３】
この飾りコマは、縦スリットの入った弾性体からなる円筒状部材と、該円筒状部材に取り付けられた装飾物とからなり、前記円筒状部材は、前記飾りコマの取り付け対象である筆記具のクリップより短い長さ寸法を有する。この飾りコマは、その円筒状部材内にその開放端から筆記具のクリップを差し込むことにより前記クリップに取り付けられる。前記円筒状部材はその内部へのクリップの挿入に伴ってその半径方向に押し広げられるように弾性変形し、その縦スリットの幅が増大する。他方、前記円筒状部材内に受け入れられたクリップは、その周囲から前記円筒状部材の弾性復帰力を受け、締め付けられた状態におかれる。また、前記クリップからの前記飾りコマの取り外しは、その円筒状部材を引張り、これにより前記円筒状部材内から前記クリップを抜き去ることにより行うことができる。
【特許文献１】特開２００８−１２８９７号公報
【０００４】
ところで、前記従来の飾りコマにあっては、これに外力が加わったとき、前記円筒状部材が弾性変形し、これに伴って前記円筒状部材の縦スリットを通して前記クリップから外れ、このために知らぬ間に飾りコマを紛失することがある。また、前記クリップに取り付けられた飾りコマは、前記クリップに対する前記円筒状部材の弾性復帰力の作用により、前記クリップに対して固定された状態にあるために移動しにくく、前記飾りコマが前記筆記具をポケット等に差すときの障害になることがある。
【考案の開示】
【考案が解決しようとする課題】
【０００５】
本考案の目的は、筆記具に取り外し可能に取り付けられた飾りコマの予期せぬ紛失を防止するための筆記具及び飾りコマの構造を提供することにある。また、本考案の他の目的は、飾りコマが取り付けられた筆記具をポケット等に差すときの障害を除去する筆記具及び飾りコマの構造を提供することにある。
【課題を解決するための手段】
【０００６】
本考案は、飾りコマと、これが適用される筆記具と、これらの組み合わせとに係る。飾りコマが適用される筆記具は、ペン軸と、該ペン軸に取り付けられたクリップとを備え、前記クリップはその材質に基づく弾性変形、前記ペン軸への取付構造に基づく枢動等により、その自由端部と前記ペン軸との間の間隔が増大するように偏倚可能である。
【０００７】
本考案は、前記クリップが、該クリップの輪郭を規定する縁に開放する一端を有するスロットを備え、前記飾りコマが、該飾りコマを前記クリップに保持するためのピンであって前記クリップのスロットを貫通するように該スロットの開放一端から受け入れられ前記スロットに沿っての前記飾りコマの移動を許すピンを有し、また、前記ペン軸が、前記クリップのスロットの開放一端からの前記飾りコマのピンの抜け出しを阻止するためのストッパであって、前記クリップの偏倚の範囲内において前記飾りコマのピンが乗り越え可能であるストッパを有することを特徴とする。本考案においては、さらに、前記飾りコマのピンが前記クリップのスロット内においてその軸線の周りに回転可能のものとすることができる。
【考案の効果】
【０００８】
本考案によれば、飾りコマは、そのピンを介して、筆記具のクリップに設けられたスロットに沿って移動可能であるように、より詳細には前記スロットの閉鎖他端と前記筆記具のペン軸に設けられたストッパとの間で移動可能であるように前記クリップに保持することができる。このように保持された飾りコマは、これに作用する外力に対する抵抗が強く、前記ストッパから外れにくい。このため、見知らぬ間に前記飾りコマが紛失することを効果的に防止することができる。前記クリップに取り付けられそのスロットに沿って移動可能である前記飾りコマは、これをポケットに差し込むときは、前記ポケットに一部に当たることによって前記スロットに沿って動くことから、前記飾りコマが前記クリップに対して一箇所に留まる場合に生じる前記ポケットへの筆記具の差し込み妨害を除去することができる。
【０００９】
さらに、前記筆記具に取り付けられた飾りコマを前記スロットに沿って移動させることにより、あるいはさらにそのピンの軸線の周りに回転可能とすることにより、前記飾りコマに表されるキャラクター、写真、文字等の動きの変化を楽しむことができる。
【００１０】
前記飾りコマの前記筆記具のクリップへの取り付け及び取り外しは後述するようにして行うことができ、これにより、予め準備された種々の異なる飾りコマの中から選択した好みの飾りコマに取り替えることができる。また、前記飾りコマの取替により前記筆記具についての装飾性をより多様にすることができる。
【００１１】
前記飾りコマの取り付けのためには、まず、前記飾りコマのピンを、前記クリップのスロットにその開放一端から差し込み、前記筆記具のペン軸に設けられたストッパに突き当てた後、前記クリップを偏倚させるべくその自由端部を引き上げ、前記飾りコマのピンを前記ストッパより上方の高さに位置させる。これにより、前記ピンが前記ストッパに突き当たらずにこれを乗り越え得るようにすることができる。次いで、前記飾りコマを前記スロットの閉鎖他端に向けて進め、前記クリップを偏倚前の元の状態に戻す。これにより、前記飾りコマはそのピンが前記スロットの他端と前記ストッパとの間におかれた状態で前記クリップに取り付けられる。
【００１２】
他方、前記クリップに取り付けられた飾りコマを取り外すには、前記飾りコマを前記スロットの開放一端に向けて移動させてそのピンを前記ストッパに突き当てた後、前記クリップを偏倚させて前記ピンを前記ストッパより上方に位置させ、この間に前記飾りコマを前記スロットの開放一端に向けて移動させ、そのピンを前記スロットの開放一端から抜き去ることにより行うことができる。
【考案を実施するための最良の形態】
【００１３】
図１ａ及び図１ｂを参照すると、本考案に係る、ボールペンからなる筆記具１と、これに取り付けられた飾りコマ３との組み合わせ５が示されている。筆記具１はクリップを有するものであればその種類を問わない。筆記具１の例として、前記ボールペンのほか、万年筆、シャープペンシル（商標）、マーキングペン等を挙げることができる。
【００１４】
筆記具１は、ペン軸７と、該ペン軸に取り付けられたクリップ９とを備える。ペン軸７は長い筒体１１と、該長い筒体にその一端においてこれと同軸に取り外し可能に接続された短い筒体１３とからなる。ペン軸７は、２つの筒体１１，１３からなる図示の例に代えて、単一又は３以上の筒体からなるものとすることができる。
【００１５】
ペン軸７の内部には、ペン先１５が取り付けられた一端を有するインク芯１７（図３ａ参照）がその軸線方向へ往復動可能に保持されている。インク芯１７の一端のペン先１５は長い筒体１１の他端から突出し、またインク芯１７の他端は短い筒体１３から突出している。短い筒体１３から突出するインク芯１７の前記他端は、短い筒体１３に嵌合された押しボタン１９により覆われている。筆記具１は、そのペン軸７内に、押しボタン１９によるインク芯１７に対する押圧操作、いわゆるノック操作によりペン先１５をペン軸７の外内に出没させるため機構（図示せず）を備える。
【００１６】
図１に一例として示す筆記具１のクリップ９は全体にＬ形に折れ曲がる細長い板状体からなる。この板状体は、ペン軸７の短い筒体１３からその半径方向外方に向けて伸びる基部２１と、該基部から短い筒体１３及び長い筒体１１すなわちペン軸７との間に間隔ａをおいてこれらに沿ってかつこれらと平行に伸びる自由端部２３とを有する。自由端部２３はその先端に設けられた突起２５を介して、長い筒体１１の周面に接している。筆記具１がポケット等に差されるとき、該ポケット等の一部がこの突起２５と軸７の周面との間に挟持される。
【００１７】
クリップ９はプラスチックのような弾性材料からなる。クリップ９は、その自由端部２３の先端に引き上げ力又は押し上げ力を加えることにより、その自由端部２３が反るように弾性変形させ、ペン軸７に対して偏倚させることができる（図２ｃ及び図３ｂ参照）。その結果、クリップ９の自由端部２３の突起２５がペン軸７の周面から離れ、自由端部２３とペン軸７の周面との間の間隔ａが増大する。クリップ９は、その形成材料に拘わらず、例えばその基部２１においてペン軸７に枢着され、ペン軸７に対するその枢動又は揺動により、その自由端部２３とペン軸７との間の間隔ａを可変とされているものであってもよい。
【００１８】
本考案にあっては、クリップ９に、筆記具１への飾りコマ３の取り付け手段の一部をなすスロット２７が設けられている。スロット２７はクリップ９の幅方向における中央部をクリップ９の長手方向へ直線的に伸びている。スロット２７は、クリップ９の輪郭を規定する縁、図示の例ではクリップ９の基部２１を経て該基部とその自由端部２３との境界において開放する一端２９と、自由端部２３内において終端する他端３１、すなわち自由端部２３の先端に至る手前で終わる閉鎖他端３１とを有する。スロット２７は、これが直線的に伸びる図示の例に代えて、例えばジグザグに伸び、あるいは波形に伸びるものとすることが可能である。また、クリップ９は、その自由端部２３が全体に矩形の平面形状を有する図示の例に代えて、例えば円形や他の多角形等の平面形状を有するものとすることができる。
【００１９】
飾りコマ３は、クリップ９のスロット２７にその開放一端２９から挿通可能であるピン３３を有する。ピン３３は、これがスロット２７に挿通された図１に示す状態で見て、クリップ９の自由端部２３の板厚方向へ伸び、スロット２７を貫通している。ピン３３はその一端（図１ｂで見て下端）に頭部３７を有する。また、飾りコマ３は、ピン３３の他端（同上端）にこれと直交して連なる円形の板状体３５を有する。ピン３３がスロット２７に通されるとき、ピン３３の頭部３７と板状体３５とが、これらとクリップ９の自由端部２３との間にわずかな隙間を残して、自由端部２３を挟持する。これにより、飾りコマ３はスロット２７に沿って移動可能であるようにクリップ９に保持される。また、ピン３３の横断面形状を例えば円形に設定することにより、飾りコマ３がそのピン３３の軸線の周りに回転可能とすることができる。
【００２０】
飾りコマ３の板状体３５には、装飾のためのキャラクターや図形、写真等が表される。板状体３５は、円形の平面形状を有する図示の例に代えて、楕円形、星形、多角形等を有するものとすることができる。また、板状体３５は前記キャラクター等の平面形状を有するように象られたものとすることができる。
【００２１】
本考案にあっては、さらに、ペン軸７の周面上にストッパ３９が設けられている。ストッパ３９は、飾りコマ３のピン３３がスロット２７の開放一端２９からの抜け出しを阻害し、これにより筆記具１からの飾りコマ３の分離を防止する働きをなすとともに、スロット２７の閉鎖他端３１とストッパ３９との間におけるスロット２７に沿っての飾りコマ３の移動可能性を保証する。
【００２２】
ストッパ３９は、図１ｂで見て、クリップ９の自由端部２３におけるスロット２７の下方に位置し、ペン軸７の周面、好ましくは短い筒体１１の周面からその半径方向外方に向けて突出している。飾りコマ３は、これがスロット２７の開放一端２９に向けて移動し、そのピン３３の頭部３７がストッパ３９に突き当たるとき、その移動を阻止される。ストッパ３９は、好ましくは、クリップ９の基部２１の近傍に配置される。
【００２３】
筆記具１のクリップ９への飾りコマ３の取り付けは、次のようにして行うことができる。まず、飾りコマ３のピン３３をスロット２７の開放一端２９に向け（図２ａ）、これを開放一端２９からスロット２７内に差し入れる。これにより、ピン３３の頭部３７がストッパ３９に突き当たったならば（図２ｂ、図３ａ）、クリップ９の自由端部２３の先端に指をかけてこれを引き上げ、自由端部２３が反るように弾性変形（偏倚）させる（図２ｃ、図３ｂ）。これにより、ピン３３の頭部３７をこれがストッパ３９の上方の高さにあるように位置させる。この間に飾りコマ３をスロット２７の閉鎖他端３１に向けて移動させると、クリップ９の偏倚の範囲内において、ピン３３の頭部３７がストッパ３９上を滑動しながら、又はこれに接することなく、ストッパ３９を乗り越える（図２ｄ、図３ｃ、図３ｄ）。その結果、飾りコマ３は、スロット２７の閉鎖他端３１とストッパ３９との間で移動可能であるように、クリップ９に保持される。
【００２４】
また、筆記具１のクリップ９に取り付けられた飾りコマ３の取り外しは、次のようにして行うことができる。まず、飾りコマ３をスロット２７に沿って移動させてそのピン３３の頭部３７がストッパ３９に突き当たるようにする。次に、飾りコマ３の前記取り付けの際におけると同様にして、クリップ９の自由端部２３の先端に指をかけてこれを引き上げて自由端部２３が反るように弾性変形させ、これにより、ピン３３の頭部３７をこれがストッパ３９の上方の高さにあるように位置させる。この間に、飾りコマ３をスロット２７の開放一端２９に向けて移動させる。これにより、飾りコマ３のピン３３がストッパ３９乗り越え、スロット２７の開放一端２９から抜け出る。その結果、飾りコマ３がクリップ９から取り外される。
【００２５】
飾りコマ３は、前記キャラクターや形状等を異にする多種類のものを予め準備しておくことにより、筆記具１に対する飾りコマ３の取り替えを可能とすることができる。本考案の実施に当たっては、筆記具１の所有者の便宜のために複数種類の飾りコマ３を単独で提供し、あるいは筆記具１とこれに取り付け可能である１又は複数の飾りコマ３との組み合わせ又は筆記具１とこれに取り付けられた１つの飾りコマ３との組み合わせとして提供し、あるいは、またこのような飾りコマ３の取り替えが可能である筆記具１としてこれのみを提供することができる。
【図面の簡単な説明】
【００２６】
【図１】ａ及びｂは、それぞれ、本考案に係る筆記具とこれに取り付けられた飾りコマとの組み合わせの平面図及び正面図である。
【図２】ａ、ｂ、ｃ及びｄは、それぞれ、飾りコマが筆記具のクリップに取り付けられる過程を示す部分斜視図であり、ａは飾りコマのピンをクリップに設けられたスロットの開放一端に差し込むため、スロットの開放一端に向けられた状態を示し、ｂは飾りコマのピンがクリップのスロットの開放一端に差し込まれた状態を示し、ｃはクリップが偏倚され、飾りコマのピンが、筆記具の軸に設けられたストッパを乗り越えようとしている状態を示し、また、ｄは飾りコマのピンがストッパを乗り越え、その完了に伴って飾りコマがクリップに取り付けられ、スロットに沿って移動可能にある状態を示す。
【図３】ａ、ｂ、ｃ及びｄは、それぞれ、飾りコマが筆記具のクリップに取り付けられる過程を示す部分断面図であり、ａは飾りコマのピンがクリップのスロットの開放一端に差し込まれ、ストッパに突き当たった状態を示し、ｂはクリップが偏倚され、飾りコマのピンがストッパを乗り越えようとしている状態を示し、また、ｃは飾りコマのピンがストッパを乗り越えた直後の状態を示し、また、ｄは飾りコマがクリップに取り付けられ、スロットに沿って移動可能にある状態を示す。
【符号の説明】
【００２７】
１  筆記具
３  飾りコマ
５  筆記具と飾りコマとの組み合わせ
７  筆記具のペン軸
９  筆記具のクリップ
２１  クリップの基部
２３  クリップの自由端部
２７  クリップに設けられたスロット
２９  スロットの開放一端
３３  飾りコマのピン
３９  ペン軸に設けられたストッパ
【図１】
0003141902.tif 000003
【図２】
0003141902.tif 000004
【図３】
0003141902.tif 000005